(57)【要約】【課題】ＬＥＤ照明器具の天井面への取り付けをスムーズにして作業性を大幅に向上させ、しかも、取り付けた後は、何の部材を用いることなく、照明器具の落下を防止すること。【解決手段】天井面にネジ止めされるベース板２の側板１２に突リブ１３にて溝１４を形成する。側板１２の両端側に第１の嵌合穴１５を穿孔する。ベース板２の下面側に装着する器具本体３の突リブ１３の両端側に前記嵌合穴１５に対応した位置で第２の嵌合穴２８を穿孔する。溝１４内には係合片４６を有するバネ性の係合体４０をスライド自在に装着する。係合体４０を右方へスライドさせて、係合体４０の係合片４６を嵌合穴１５、２８に挿通して嵌合穴１５、２８より内方に突出させる。これにより、器具本体３をベース板２に簡単に装着でき、器具本体３がベース板２から落下するのを確実に防止できる。【選択図】図２６
2014086233.tif 000002
【特許請求の範囲】
【請求項１】
設置面に一面側がネジ止めされるベース板（２）と、このベース板（２）の他面側に装着されて発光ダイオードの光源を備えた器具本体（３）とで長尺物の照明器具本体（１）を構成し、
前記ベース板（２）の前後方向の両側に該ベース板（２）の横方向の略全長にわたって側板（１２）をそれぞれ設けると共に、前記側板（１２）の少なくとも両端に第１の嵌合穴（１５）を穿孔し、
前記器具本体（３）の前後方向の両側に該器具本体（３）の横方向の略全長にわたってリブ（２３）をそれぞれ設けると共に、前記第１の嵌合穴（１５）の位置に対応させた前記リブ（２３）の位置に第２の嵌合穴（２８）をそれぞれ穿孔し、
前記ベース板（２）または器具本体（３）の外側面に該ベース板（２）または器具本体（３）の横方向の略全長にわたって溝（１４）を設け、
前記ベース板（２）の下面側に前記器具本体（３）を合わせた際に前後方向に連通した前記第１の嵌合穴（１５）と第２の嵌合穴（２８）に挿通し、両嵌合穴（１５）（２８）より内方に突出する係合片（４６）を有するバネ性の係合体（４０）を前記溝（１４）内に横方向にスライド自在に設けている
ことを特徴とするＬＥＤ照明器具の取付・落下防止装置。
【請求項２】
設置面に一面側がネジ止めされるベース板（２）と、このベース板（２）の他面側に装着されて発光ダイオードの光源を備えた器具本体（３）とで長尺物の照明器具本体（１）を構成し、
前記ベース板（２）の前後方向の両側に該ベース板（２）の横方向の略全長にわたって側板（１２）をそれぞれ垂設すると共に、前記側板（１２）の外側面に断面を略Ｌ型とした上下一対の突リブ（１３）を一体的に突設し、
前記上下一対の突リブ（１３）の内面と前記側板（１２）の外側面とでベース板（２）の横方向の略全長にわたる溝（１４）を構成し、
前記溝（１４）に位置し、前記側板（１２）の少なくとも両端に第１の嵌合穴（１５）を穿孔し、
前記器具本体（３）の前後方向の両側に該器具本体（３）の横方向の略全長にわたってリブ（２３）をそれぞれ設けると共に、前記第１の嵌合穴（１５）の位置に対応させた前記リブ（２３）の位置に第２の嵌合穴（２８）をそれぞれ穿孔し、
前記両嵌合穴（１５）（２８）に挿通して係合する係合片（４６）を有するバネ性の係合体（４０）を前記溝（１４）内にスライド自在に装着し、
前記ベース板（２）の下面側であって前記器具本体（３）のリブ（２３）を前記ベース板（２）の側板（１２）の内側に合わせて前記係合体（４０）をスライドさせることで、該係合体（４０）の係合片（４６）を前後方向に連通した前記両嵌合穴（１５）（２８）より内方に突出させている
ことを特徴とするＬＥＤ照明器具の取付・落下防止装置。
【請求項３】
前記係合体（４０）は略平板状のバネ体であり、係合体（４０）のバネ撓み方向とは直交する方向で前記器具本体（３）を受けていることを特徴とする請求項１または請求項２に記載のＬＥＤ照明器具の取付・落下防止装置。
【請求項４】
前記係合体（４０）の係合片（４６）は、前記照明器具本体（１）の前後方向に傾斜する傾斜片（４４）を有していることを特徴とする請求項１〜請求項３のいずれかに記載のＬＥＤ照明器具の取付・落下防止装置。
【請求項５】
前記係合体（４０）の係合片（４６）は、該係合体（４０）を前記照明器具本体（１）の端部側にスライドさせた際に、前記嵌合穴（１５）（２８）の内縁に当接して該係合体（４０）のスライドを阻止するＬ型片（４５）を有していることを特徴とする請求項１〜請求項４のいずれかに記載のＬＥＤ照明器具の取付・落下防止装置。
【発明の詳細な説明】
【技術分野】
【０００１】
本発明は、光源を発光ダイオードとしたＬＥＤ照明器具に関するものであり、より詳しくはＬＥＤ照明器具の取付・落下防止装置に関するものである。
【背景技術】
【０００２】
近年、節電指向から光源が低消費電力の発光ダイオード（ＬＥＤ）としたＬＥＤ照明器具が急速に販売されてきている。会社、工場、事務所では一般に直管型の蛍光灯が使用されており、蛍光灯から発光ダイオードの照明器具に変更する場合には、蛍光灯の照明器具を設置されている天井面から取り外し、ＬＥＤ照明器具を新たに設置するのが通常である。また、その際、電源の工事も必要になってくる。
【０００３】
図３３は、光源に発光ダイオードを用いた従来の照明器具本体８０の正面図を示しており、横方向の寸法は、例えば１００ｃｍであるが、便宜上、横方向の寸法は圧縮して描いている。
図３４は照明器具本体８０の分解図を示しており、この照明器具本体８０は、金属製のケース本体８１と、このケース本体８１の下面の開口面を覆う金属製のカバー８２と、このカバー８２の下面側に着脱自在に装着される発光部８３とで構成されている。
【０００４】
上記ケース本体８１は、長方形状で下面が開口されており、天井面に取り付けられ発光ダイオードを駆動点灯する電源回路を納装している。また、ケース本体８１の上面には図３５に示すように、天井面にネジ止めする際のネジを挿通させる取付穴８４が穿孔されている。
【０００５】
また、図３６に示すように、ケース本体８１の両側にはソケット８５が設けられており、このソケット８５は、ケース本体８１の天井面に固着された略Ｓ字型の取付金具８６の下面に取り付けられている。なお、８９は発光部８３のピン９０（図３４参照）が挿入されるピン穴である。
また、取付金具８６の端部には後述するねじ穴８７が螺刻されている。さらに、ソケット８５側には略Ｕ字状のランプホルダー８７が揺動自在に設けられている。
【０００６】
図３７はカバー８２を示し、このカバー８２は略平板状であって、両側にはリブ９１が一体に形成されている。また、カバー８２の両端には発光部８３の両端のコネクタ９２（図３４参照）を逃がすための切欠部９３が切り欠き形成されている。この切欠部９３の内方には、ネジ挿通用の穴９４がそれぞれ穿孔されている。
【０００７】
発光部８３は、図３４に示すように、略円柱状に形成されていて、内部には発光ダイオードを直線状に実装したプリント基板が納装されている。発光部８３の外殻の下部は樹脂製で乳白色の透光性となっている。また、発光部８３の両端の上面にはピン９０を突設したコネクタ９２がそれぞれ形成されている。
【０００８】
次に、従来の照明器具本体８０の天井面への取り付けについて説明する。先ず、図３８（ａ）に示すように、天井面の所定の位置にケース本体８１を配置し、ケース本体８１の下方からネジ９５をケース本体８１の取付穴８４に挿通して該ネジ９５を天井面に螺着する。これによりケース本体８１を天井面に取り付けることができる。
次に、図３８（ｂ）に示すように、ケース本体８１の下面の開口面にカバー８２を、該カバー８２のリブ９１がケース本体８１の内側に挿入する形で嵌め込む。このカバー８２をケース本体８１の下面に嵌め込んだまま、手でカバー８２を押さえておき、下方からネジ９６にてカバー８２をケース本体８１に取り付ける。
【０００９】
具体的には、ネジ９６をカバー８２の穴９４に挿通し、さらに、ケース本体８１内の取付金具８６のねじ穴８７に螺進していくことで、ネジ９６によりカバー８２がケース本体８１に装着される。
次に、図３９に示すように、カバー８２の下方から発光部８３の両側のコネクタ９２をカバー８２の切欠部９３に挿入して、コネクタ９２のピン９０をケース本体８１のソケット８５のピン穴８９に挿入することで、発光部８３がケース本体８１に装着される。
【００１０】
そして、最後に、図４０及び図４１に示すように、ランプホルダー８８を発光部８３側に回動させて、ランプホルダー８８の中央部分を発光部８３の下面側に位置させる。これにより、発光部８３のコネクタ９２のピン９０がケース本体８１のソケット８５のピン穴８９より脱落しても、ランプホルダー８８にて発光部８３を受けることができ、発光部８３の落下を防止している。
【発明の概要】
【発明が解決しようとする課題】
【００１１】
しかしながら、上記の照明器具本体８０では以下に示すように種々な問題点を有している。すなわち、図３８（ａ）に示すように、ケース本体８１を天井面に取り付けた後、ケース本体８１の下面にカバー８２を取り付ける場合に、ネジ９６にてカバー８２を取り付けている。
そのため、ネジ９６を挿通させるための穴９４の位置を捜す必要があり、特に、この種の照明器具は天井面に取り付けるため、高所作業となり、ネジ９６をカバー８２の穴９４に挿入して、さらに、ねじ穴８７に螺着する作業は、非常に危険を伴うことになる。また、照明器具を設置する場合には、その作業部位は明かりが無く、薄暗いので、ネジ９６を挿通させる穴９４も見つけにくいという問題もある。すなわち、従来の照明器具本体８０の天井面への取り付けは作業性が非常に悪いという問題があった。
【００１２】
さらに、発光部８３をケース本体８１に装着した後に、ランプホルダー８８を回動させて、該ランプホルダー８８にて発光部８３の落下を防止するようにしているが、多くの照明器具本体８０を取り付ける場合には、ランプホルダー８８を回動させるのを忘れてしまう場合もある。
かかる場合には、発光部８３を下方からピン９０をケース本体８１のピン穴８９に挿入している構造のため、ランプホルダー８８を回動させるのを忘れた場合には、発光部８３が自重により自然に落下したり、あるいは、小さな地震でも発光部８３が落下する恐れがある。
【００１３】
また、大地震が起こった場合には、ランプホルダー８８自体は強固に固定されているのではなく、揺動状態なので、ランプホルダー８８が外側に回動して発光部８３から外れる恐れがある。かかる場合には、発光部８３が落下し、より危険な状態となるという問題がある。
【００１４】
本発明は上述の問題点に鑑みて提供したものであって、ＬＥＤ照明器具の天井面への取り付けをスムーズにして作業性を大幅に向上させ、しかも、取り付けた後は、何の部材を用いることなく、照明器具の落下を防止することを目的としたＬＥＤ照明器具の取付・落下防止装置を提供するものである。
【課題を解決するための手段】
【００１５】
そこで、本発明の請求項１に記載のＬＥＤ照明器具の取付・落下防止装置では、設置面に一面側が天井面にネジ止めされるベース板２と、このベース板２の他面側に装着されて発光ダイオードの光源を備えた器具本体３とで長尺物の照明器具本体１を構成し、
前記ベース板２の前後方向の両側に該ベース板２の横方向の略全長にわたって側板１２をそれぞれ設けると共に、前記側板１２の少なくとも両端に第１の嵌合穴１５を穿孔し、
前記器具本体３の前後方向の両側に該器具本体３の横方向の略全長にわたってリブ２３をそれぞれ設けると共に、前記第１の嵌合穴１５の位置に対応させた前記リブ２３の位置に第２の嵌合穴２８をそれぞれ穿孔し、
前記ベース板２または器具本体３の外側面に該ベース板２または器具本体３の横方向の略全長にわたって溝１４を設け、
前記ベース板２の下面側に前記器具本体３を合わせた際に前後方向に連通した前記第１の嵌合穴１５と第２の嵌合穴２８に挿通し、両嵌合穴１５、２８より内方に突出する係合片４６を有するバネ性の係合体４０を前記溝１４内に横方向にスライド自在に設けていることを特徴としている。
【００１６】
請求項２に記載のＬＥＤ照明器具の取付・落下防止装置では、設置面に一面側がネジ止めされるベース板２と、このベース板２の他面側に装着されて発光ダイオードの光源を備えた器具本体３とで長尺物の照明器具本体１を構成し、
前記ベース板２の前後方向の両側に該ベース板２の横方向の略全長にわたって側板１２をそれぞれ垂設すると共に、前記側板１２の外側面に断面を略Ｌ型とした上下一対の突リブ１３を一体的に突設し、
前記上下一対の突リブ１３の内面と前記側板１２の外側面とでベース板２の横方向の略全長にわたる溝１４を構成し、
前記溝１４に位置し、前記側板１２の少なくとも両端に第１の嵌合穴１５を穿孔し、
前記器具本体３の前後方向の両側に該器具本体３の横方向の略全長にわたってリブ２３をそれぞれ設けると共に、前記第１の嵌合穴１５の位置に対応させた前記リブ２３の位置に第２の嵌合穴２８をそれぞれ穿孔し、
前記両嵌合穴１５、２８に挿通して係合する係合片４６を有するバネ性の係合体４０を前記溝１４内にスライド自在に装着し、
前記ベース板２の下面側であって前記器具本体３のリブ２３を前記ベース板２の側板１２の内側に合わせて前記係合体４０をスライドさせることで、該係合体４０の係合片４６を前後方向に連通した前記両嵌合穴１５、２８より内方に突出させていることを特徴としている。
【００１７】
請求項３に記載のＬＥＤ照明器具の取付・落下防止装置では、前記係合体（４０）は略平板状のバネ体であり、係合体（４０）のバネ撓み方向とは直交する方向で前記器具本体（３）を受けていることを特徴としている。
【００１８】
請求項４に記載のＬＥＤ照明器具の取付・落下防止装置では、前記係合体４０の係合片４６は、前記照明器具本体１の前後方向に傾斜する傾斜片４４を有していることを特徴としている。
【００１９】
請求項５に記載のＬＥＤ照明器具の取付・落下防止装置では、前記係合体４０の係合片４６は、該係合体４０を前記照明器具本体１の端部側にスライドさせた際に、前記嵌合穴１５、２８の内縁に当接して該係合体４０のスライドを阻止するＬ型片４５を有していることを特徴としている。
【発明の効果】
【００２０】
本発明の請求項１に記載のＬＥＤ照明器具の取付・落下防止装置によれば、ベース板２の他面側に前記器具本体３を合わせた際に前後方向に連通した前記第１の嵌合穴１５と第２の嵌合穴２８に挿通し、両嵌合穴１５、２８より内方に突出する係合片４６を有するバネ性の係合体４０を前記溝１４内に横方向にスライド自在に設けており、係合体４０を溝１４に沿ってスライドさせて該係合体４０の係合片４６を両嵌合穴１５、２８より内方に突出させることで、係合片４６が嵌合穴１５、２８に係合する形となり、器具本体３をベース板２に確実に取り付けることができる。
また、係合片４６が第２の嵌合穴２８より内方に突出しているので、係合片４６により器具本体３を支持している状態となり、器具本体３がベース板２から落下するのを確実に防止することができる。
さらに、設置面に取り付けたベース板２に対して、他面側から器具本体３を位置合わせをした後に、係合体４０を溝１４に沿って横方向にスライドさせるだけで、器具本体３をベース板２に簡単で確実に且つスムーズに取り付けることができる。
従来のように、カバー８２をもケース本体８１にネジ止めしているのとは異なり、単に係合体４０をスライドさせるだけなので、照明器具本体１の設置工事をスムーズにでき、取り付けの作業性を大幅に向上させることができる。
しかも、照明器具本体１の取り付けが天井面の場合、高所作業の場合でも、スムーズに取り付けることができるので、安全性も向上させることができる。また、照明器具本体１を天井面や壁面に設置した後に、従来のように別途の部材を用いて器具本体３が落下しないようにするのではなく、係合体４０の係合片４６を第１の嵌合穴１５と第２の嵌合穴２８とに嵌め込むだけで、器具本体３の取り付けはもちろん、器具本体３がベース板２から落下するのを確実に防止することができる。
【００２１】
請求項２に記載のＬＥＤ照明器具の取付・落下防止装置によれば、ベース板２の他面側であって前記器具本体３のリブ２３を前記ベース板２の側板１２の内側に合わせて前記係合体４０をスライドさせることで、該係合体４０の係合片４６を前後方向に連通した前記両嵌合穴１５、２８より内方に突出させていることで、係合片４６が嵌合穴１５、２８に係合する形となり、器具本体３をベース板２に確実に取り付けることができる。
また、係合片４６が第２の嵌合穴２８より内方に突出しているので、係合片４６により器具本体３を支持している状態となり、器具本体３がベース板２から落下するのを確実に防止することができる。
さらに、例えば、設置面を天井面とした場合、該天井面に取り付けたベース板２に対して、下方から器具本体３を位置合わせをした後に、係合体４０を溝１４に沿って横方向にスライドさせるだけで、器具本体３をベース板２に簡単で確実に且つスムーズに取り付けることができる。
従来のように、カバー８２をもケース本体８１にネジ止めしているのとは異なり、単に係合体４０をスライドさせるだけなので、照明器具本体１の設置工事をスムーズにでき、取り付けの作業性を大幅に向上させることができる。
しかも、照明器具本体１の取り付けを天井面とした場合、高所作業の場合でも、スムーズに取り付けることができるので、安全性も向上させることができる。また、照明器具本体１を天井面に設置した後に、従来のように別途の部材を用いて器具本体３が落下しないようにするのではなく、係合体４０の係合片４６を第１の嵌合穴１５と第２の嵌合穴２８とに嵌め込むだけで、器具本体３の取り付けはもちろん、器具本体３がベース板２から落下するのを確実に防止することができる。
【００２２】
請求項３に記載のＬＥＤ照明器具の取付・落下防止装置によれば、係合体４０は略平板状のバネ体であり、係合体４０のバネ撓み方向とは直交する方向で前記器具本体３を受けるようにしているので、該係合片４６が撓むことはなく、そのため、係合片４６により器具本体３を支持することができる。そのため、器具本体３がベース板２から落下する恐れを１００％回避することができる。
【００２３】
請求項４に記載のＬＥＤ照明器具の取付・落下防止装置によれば、係合体４０の係合片４６は、前記照明器具本体１の前後方向に傾斜する傾斜片４４を有しているので、係合体４０を溝１４内に装着する場合、係合体４０の傾斜片４４により嵌合穴１５、２８の端面を容易に乗り越えることができ、係合体４０を溝１４内に容易にスライド自在に装着することができる。
【００２４】
請求項５に記載のＬＥＤ照明器具の取付・落下防止装置によれば、係合体４０の係合片４６は、該係合体４０を前記照明器具本体１の端部側にスライドさせた際に、前記嵌合穴１５、２８の内縁に当接して該係合体４０のスライドを阻止するＬ型片４５を有しているので、係合体４０を右方へスライドさせても、Ｌ型片４５が嵌合穴１５、２８の内縁に当たって、係合体４０をそれ以上スライドさせることができない。これにより、係合体４０を溝１４から容易に外すことはできないようになっている。
【図面の簡単な説明】
【００２５】
【図１】（ａ）（ｂ）は本発明の実施の形態における照明器具本体の正面図及び側面図である。
【図２】（ａ）（ｂ）は本発明の実施の形態における照明器具本体の平面図及び底面図である。
【図３】（ａ）（ｂ）は本発明の実施の形態におけるベース板の平面図及び正面図である。
【図４】本発明の実施の形態における図３（ａ）のＡ方向から見た場合のベース板の拡大側面図である。
【図５】本発明の実施の形態におけるベース板の要部拡大斜視図である。
【図６】（ａ）（ｂ）は本発明の実施の形態における器具本体の平面図及び正面図である。
【図７】本発明の実施の形態における図６（ｂ）のＢ−Ｂ断面の拡大図である。
【図８】本発明の実施の形態における照明器具本体の両側の係合体の部分を示す要部拡大正面図である。
【図９】本発明の実施の形態における係合体の斜視図である。
【図１０】（ａ）（ｂ）は本発明の実施の形態における係合体の平面図及び正面図である。
【図１１】本発明の実施の形態における係合体をベース板の溝に挿入する場合の説明図である。
【図１２】（ａ）（ｂ）は本発明の実施の形態における係合体をベース板の溝に挿入する場合の説明図である。
【図１３】（ａ）（ｂ）は本発明の実施の形態における係合体をベース板の溝に挿入する場合の説明図である。
【図１４】（ａ）（ｂ）は本発明の実施の形態における係合体をベース板の溝に挿入する場合の説明図である。
【図１５】（ａ）（ｂ）は本発明の実施の形態における係合体をベース板の溝に挿入する場合の説明図である。
【図１６】（ａ）（ｂ）は本発明の実施の形態における係合体をベース板の溝に挿入する場合の説明図である。
【図１７】（ａ）（ｂ）は本発明の実施の形態における係合体をベース板の溝に挿入して保持している状態を示す図である。
【図１８】本発明の実施の形態における天井面に設置されたベース板に器具本体を装着する場合の説明図である。
【図１９】本発明の実施の形態における天井面に設置されたベース板に器具本体を装着する場合の説明図である。
【図２０】本発明の実施の形態における天井面に設置されたベース板に器具本体を装着する場合の説明図である。
【図２１】本発明の実施の形態における天井面に設置されたベース板に器具本体を装着する場合の説明図である。
【図２２】本発明の実施の形態における天井面に設置されたベース板に器具本体を装着する場合の説明図である。
【図２３】（ａ）（ｂ）は本発明の実施の形態における係合体をスライドさせて嵌合穴に係合する場合の説明図である。
【図２４】（ａ）（ｂ）は本発明の実施の形態における係合体をスライドさせて嵌合穴に係合する場合の説明図である。
【図２５】（ａ）（ｂ）は本発明の実施の形態における係合体をスライドさせて嵌合穴に係合する場合の説明図である。
【図２６】（ａ）（ｂ）は本発明の実施の形態における係合体をスライドさせて嵌合穴に係合する場合の説明図である。
【図２７】本発明の実施の形態における図２６（ａ）のＣ−Ｃ断面の拡大図である。
【図２８】（ａ）（ｂ）は本発明の実施の形態における係合体が溝から外れないことを示す説明図である。
【図２９】本発明の実施の形態における係合体が溝から外れないことを示す説明図である。
【図３０】本発明の実施の形態におけるベース板から器具本体を取り外す場合の説明図である。
【図３１】本発明の実施の形態におけるベース板から器具本体を取り外す場合の説明図である。
【図３２】本発明の実施の形態におけるベース板から器具本体を取り外す場合の説明図である。
【図３３】従来例の照明器具本体の正面図である。
【図３４】従来例の照明器具本体の分解図である。
【図３５】（ａ）（ｂ）は従来例の照明器具本体のケース本体の平面図及び側面図である。
【図３６】（ａ）（ｂ）は従来例の照明器具本体のソケット側の要部底面図及び要部断面図である。
【図３７】（ａ）（ｂ）は従来例の照明器具本体のカバーの平面図及び側面図である。
【図３８】（ａ）（ｂ）は従来例の照明器具本体の天井面への取り付けを示す説明図である。
【図３９】従来例の照明器具本体の天井面への取り付けを示す説明図である。
【図４０】従来例の照明器具本体の天井面への取り付けを示す説明図である。
【図４１】従来例の照明器具本体の天井面への取り付けを示す説明図である。
【発明を実施するための形態】
【００２６】
以下、本発明の実施の形態を図面を参照して詳細に説明する。図１（ａ）は照明器具本体１の正面図を示し、図１（ｂ）は照明器具本体１の側面図を示している。また、図２（ａ）は照明器具本体１の平面図を、図２（ｂ）は照明器具本体１の底面図をそれぞれ示している。なお、本実施形態を説明している図面では照明器具本体１の電源コードは図示省略している。
照明器具本体１は長尺ものであり、横方向の寸法は従来例と同様に、例えば１００ｃｍであるが、図面では便宜上、横方向の寸法を圧縮して描いている。
【００２７】
本実施形態の照明器具本体１は、上部の天井面に取り付けるベース板２と、下部の発光ダイオードや該発光ダイオードを駆動点灯するための電源回路を納装している。器具本体３とで構成されている。
図３（ａ）はベース板２の平面図を示し、図３（ｂ）はベース板２の正面図を示している。また、図４は図３（ａ）のＡ方向から見たベース板２の拡大側面図を示し、図５はベース板２の要部拡大斜視図を示している。
【００２８】
ベース板２は、金属製、例えばアルミ材からなり、押し出し成形により形成されている。図３〜図５に示すように、ベース板２は断面を略コ字型として下面及び両側の側面は開口されている。ベース板２の天板１０の両側と中央部分には、該ベース板２を天井面に取り付けるためのネジ挿通用の取付穴１１がそれぞれ穿孔されている。なお、この取付穴１１の数は、照明器具本体１の横方向の寸法に応じて適宜設定されるものである。
【００２９】
ベース板２の両側の側板１２の外側面には、断面を略Ｌ型として互いに先端部分を対向させた一対の突リブ１３がベース板２の横方向の全長にわたってそれぞれ一体に形成されている。この上下一対の突リブ１３の内面と、側板１２の外側面とで、スライド用の溝１４を形成している。
また、図３（ｂ）に示すように、ベース板２の両側の側板１２の両側には長孔状の第１の嵌合穴１５がそれぞれ穿設されている。
【００３０】
図６（ａ）は器具本体３の平面図を、図６（ｂ）は器具本体３の正面図を示しており、また、図７は図６（ａ）のＢ−Ｂ拡大断面図を示している。器具本体３は金属製、例えばアルミ材からなるケーシング２０と、このケーシング２０の下面開口部を閉塞する形で設けられている樹脂製のカバー２１とで構成され、このケーシング２０とカバー２１とで器具本体３の外殻を構成している。
【００３１】
図６及び図７に示すように、上記ケーシング２０の上面の両側には平板状のリブ２３が該ケーシング２０の長手方向の全長にわたって一体に立設してそれぞれ形成されている。また、ケーシング２０の両側の縁部より断面を略円弧状とした袖片２４が該ケーシング２０の長手方向の全長にわたって一体に形成されている。
ケーシング２０の下面には、該ケーシング２０の長手方向の略全長にわたって多数の発光ダイオード（ＬＥＤ）２５を直線状に実装したプリント基板２６が配設されている。また、ケーシング２０の上面には、上記発光ダイオード２５を駆動点灯するための電源回路部２７が配設されている。
【００３２】
また、ケーシング２０の両側のリブ２３の端部には長孔状の第２の嵌合穴２８がそれぞれ穿孔されている。ここで、ベース板２の横方向の寸法と、ケーシング２０の横方向の寸法とは同一に設定されていて、ケーシング２０の４つの第２の嵌合穴２８の位置は、ベース板２の４つの第１の嵌合穴１５の位置と対応させている。そのため、ベース板２にケーシング２０を下方から嵌めた場合には、各第１の嵌合穴１５と第２の嵌合穴２８とはほぼ完全にそれぞれ前後方向に連通した状態となる。
【００３３】
樹脂製で透光性のカバー２１は、断面を略半円状に形成されており、両側の縁部より横リブ３０が、該カバー２１の長手方向の全長にわたって一体に形成されている。カバー２１の横リブ３０をケーシング２０内に挿入し、カバー２１の端部をケーシング２０の端部から挿入していくことで、カバー２１の横リブ３０がケーシング２０の袖片２４の上面に載置されることで、カバー２１がケーシング２０に保持される。
また、ベース板２及び器具本体３の両側の端面は開口した状態となっているので、樹脂製のプレート３１を配設している。このプレート３１によりベース板２及び器具本体３の両側の開口面を閉塞している。
【００３４】
次に、上記ベース板２に器具本体３を取り付ける場合に、器具本体３をベース板２に簡単且つスムーズに取り付けることができ、しかも、器具本体３をベース板２に取り付けた後は、器具本体３がベース板２から脱落しないようにした構成について説明する。
【００３５】
図８は照明器具本体１の両側の部分を拡大した図面を示し、ベース板２の溝１４には、図９及び図１０に示す係合体４０を溝１４の長手方向にスライド自在に装着している。この係合体４０は、金属製で全体がバネ体で形成されており、全体が平板状のバネ体を折曲形成したものである。そして、係合体４０の中央片４１の両側には切り込みを入れて該中央片４１の一面側に折曲した押さえ片４２が一体にそれぞれ形成されている。
これらの押さえ片４２の先端は少し折曲され、その折曲部４３の凸側が上記溝１４を形成している側板１２の外面に摺接するようにしている。
【００３６】
また、係合体４０の一方側には中央片４１より傾斜片４４が一体に延設され、さらに傾斜片４４より略Ｌ型としてＬ型片４５が一体に延設されている。この傾斜片４４とＬ型片４５とで係合片４６を構成している。
さらに、係合体４０の他方側には中央片４１より断面を略コ字型とした把持部４７が一体に延設形成されている。なお、係合体４０の幅寸法は、ベース板２の溝１４の幅寸法よりは若干短くしている。
【００３７】
次に、図１１に示すように、係合体４０をベース板２の溝１４に装着する場合について説明する。図１１及び図１２に示すように、係合体４０の把持部４７を外側にして係合体４０を溝１４内に挿入していく。
図１３に示すように、係合体４０の一方側の両押さえ片４２、４２が溝１４の突リブ１３の内側に入っていき、他方側の押さえ片４２が溝１４内に挿入されると、押さえ片４２のバネ性の復帰力にて係合体４０は溝１４内で保持される状態となる。
【００３８】
図１４に示すように、係合体４０をさらに溝１４内で内側（図では左方）にスライドさせていくと、係合体４０の係合片４６が溝１４内に入っていく。係合片４６が溝１４内に入ると、溝１４の面（側板１２の外側面）により係合片４６は外側に付勢され、中央片４１と傾斜片４４とが開拡する。
係合体４０を溝１４内でそのまま挿入していくと、図１５に示すように、係合片４６がベース板２の第１の嵌合穴１５に嵌まり込む。係合片４６が第１の嵌合穴１５に嵌まり込むと、係合片４６は復帰力により元の形状に復帰する。
【００３９】
さらに、係合体４０を溝１４内で内側にスライドさせていくと、図１６に示すように、係合体４０の傾斜片４４が第１の嵌合穴１５の縁部に接触していく。係合体４０をさらにスライドさせると、傾斜片４４は傾斜していることとバネ性とで係合片４６は第１の嵌合穴１５の縁部を乗り上げ、さらに係合体４０をスライドさせると、係合片４６は図１７に示すように、第１の嵌合穴１５から離れて溝１４内に位置して、係合体４０が溝１４内に保持された状態となる。
この図１７に示す状態が、照明器具本体１を天井面に設置する前のベース板２の溝１４に係合体４０を装着した状態である。
【００４０】
次に、照明器具本体１の天井面への取り付けについて説明する。先ず、ベース板２を天井面の所定の位置に合わせ、その状態でネジをベース板２の取付穴１１を介して天井面に螺着する。これで、ベース板２を天井面に取り付けた状態となる。
次に、図１８〜図２０に示すように、天井面に取り付けられているベース板２の下方から、ケーシング２０にカバー２１を装着した器具本体３を持ち上げて、器具本体３の両側の突リブ１３がベース板２の両側の側板１２内に入るように挿入する。
【００４１】
図２１及び図２２に示すように、器具本体３をベース板２の下面側に挿入して、器具本体３とベース板２との横方向の位置を合わせることで、ベース板２の第１の嵌合穴１５と、器具本体３の第２の嵌合穴２８との位置が重なる。この状態を図２２及び図２３に示す。
次に、図２３に示すように、係合体４０の把持部４７を持ち、あるいは把持部４７を指で外側（図２３の右方）に押していく。そして、図２４に示すように、係合体４０を外側に溝１４内でスライドさせていくと、図２５に示すように、係合体４０の係合片４６がベース板２の第１の嵌合穴１５に入っていく。
【００４２】
さらに係合体４０をスライドさせていくと、図２６に示すように、係合体４０の係合片４６は、ベース板２の第１の嵌合穴１５と器具本体３の第２の嵌合穴２８とに弾性復帰して嵌まり込む。図２７は図２６（ａ）のＣ−Ｃ断面を示している。
図２６及び図２７に示すように、係合体４０の係合片４６が第１の嵌合穴１５と第２の嵌合穴２８とに嵌まり込み、係合片４６が器具本体３のリブ２３より内側に突出した状態となる。
【００４３】
このように、ベース板２の溝１４に装着した係合体４０の係合片４６が第１の嵌合穴１５より突出して係合片４６の上端面にて第２の嵌合穴２８の上側の内面を支持する形で係合することで、器具本体３をベース板２に確実且つ強固に取り付けることができる。また、係合体４０は押さえ片４２により溝１４内で保持されているので、自然にスライドすることはなく、係合片４６が第１の嵌合穴１５と第２の嵌合穴２８から脱落することはない。
【００４４】
特に、係合体４０の係合片４６は図２６（ｂ）及び図２７に示すように、器具本体３の第２の嵌合穴２８より内方に突出して、係合体４０のバネ撓み方向とは直交する方向で係合片４６により器具本体３を受けているので、該係合片４６が撓むことはなく、そのため、係合片４６により器具本体３を支持することができる。そのため、器具本体３がベース板２から落下する恐れを１００％回避することができる。
【００４５】
このように、本実施形態では、天井面に取り付けたベース板２に対して、下方から器具本体３を位置合わせをした後に、係合体４０を溝１４に沿って横方向にスライドさせるだけで、器具本体３をベース板２に簡単で確実に且つスムーズに取り付けることができる。
従来のように、カバー８２をもケース本体８１にネジ止めしているのとは異なり、単に係合体４０をスライドさせるだけなので、照明器具本体１の設置工事をスムーズにでき、取り付けの作業性を大幅に向上させることができる。
【００４６】
しかも、照明器具本体１の取り付けは天井面であり、高所作業の場合でも、スムーズに取り付けることができるので、安全性も向上させることができる。また、照明器具本体１を天井面に設置した後に、従来のように別途の部材を用いて器具本体３が落下しないようにするのではなく、係合体４０の係合片４６を第１の嵌合穴１５と第２の嵌合穴２８とに嵌め込むだけで、器具本体３の取り付けはもちろん、器具本体３がベース板２から落下するのを確実に防止することができる。
【００４７】
次に、図２６の状態から係合体４０をさらに右方へスライドさせた場合について説明する。図２６の状態から係合体４０を右方へスライドさせていくと、図２８及び図２９に示すように、係合片４６のＬ型片４５の両側の端縁が第１の嵌合穴１５と第２の嵌合穴２８の内縁に当接してそれ以上係合体４０をスライドさせることができない状態となる。
すなわち、係合体４０の係合片４６のＬ型片４５の先部が立設した状態であり、Ｌ型片４５の先端面が両嵌合穴１５、２８の内縁と対向した状態となり、係合体４０を右方へスライドさせても、Ｌ型片４５の端縁が嵌合穴１５、２８の内縁に当たって、係合体４０をそれ以上スライドさせることができない。これにより、係合体４０を溝１４から容易に外すことはできないようになっている。
【００４８】
なお、嵌合穴１５、２８の縁部は、円弧状の場合としていたが、嵌合穴１５、２８の形状を長方形状とした場合は、係合片４６の先端面が嵌合穴１５、２８の内縁に当接して、上記と同様にそれ以上スライドさせることは困難である。
【００４９】
なお、ベース板２の溝１４に係合体４０を最初に挿入する場合は、係合体４０に傾斜片４４を設けているので、嵌合穴１５に入った後も、該傾斜片４４にて嵌合穴１５の内縁を容易に乗り越えることができる。
【００５０】
次に、照明器具本体１を天井面に設置した後に、故障などの何らかの原因で器具本体３をベース板２から取り外す場合について説明する。図３０に示すように、係合体４０の係合片４６が嵌合穴１５、２８に嵌まり込んで係合している状態において、係合体４０を図中の左方にスライドさせていく。
係合体４０を左方にスライドさせていくと、図３１に示すように、係合体４０の傾斜片４４が嵌合穴１５の内縁に当たるが、傾斜片４４としているので、係合体４０は嵌合穴１５から容易に乗り越えることができる。
【００５１】
さらに、図３２に示すように、係合体４０を左方へスライドさせていくと、係合片４６は嵌合穴１５から完全に乗り越えて、溝１４内に位置する。これにより、係合体４０の係合片４６は嵌合穴１５、２８から完全に移動させることができるので、器具本体３をそのまま下方へずらすことで、器具本体３をベース板２から容易に取り外すことができる。
【００５２】
なお、上記実施形態では、係合体４０の係合片４６と係合する嵌合穴１５、２８の数を照明器具本体１の両側の２カ所として説明していたが、照明器具本体１の横方向の寸法等に応じて２カ所以上設けても良い。
また、ベース板２の第１の嵌合穴１５と、器具本体３の第２の嵌合穴２８とが前後方向に完全に一致していなくても、係合体４０の係合片４６が挿通される大きさで嵌合穴１５、２８が連通する形状でも良い。つまり、嵌合穴１５、２８の横方向の位置が多少ずれていても良い。
【００５３】
また、上記実施形態では、係合体４０をスライドさせる溝１４をベース板２に形成していたが、ベース板２には第１の嵌合穴１５だけを穿孔し、器具本体３のケーシング２０の外側面に係合体４０をスライドさせる溝１４を形成するようにしても良い。
この場合、ケーシング２０のリブ２３がベース板２の側板１２の外側になるようにし、リブ２３の外側面に突リブ１３にて溝１４を形成する。
【００５４】
また、照明器具本体１の設置面を天井面として説明したが、天井面に限られるものではない。例えば、照明器具本体１を壁面に設置したり、また、照明器具本体１を間接照明として用いる場合では、ベース板２を下側にし、ベース板２の上面に器具本体３を嵌合し、器具本体３からの光を天井面にて下方へと反射させるようにして用いるようにしても良い。
【符号の説明】
【００５５】
１  照明器具本体
２  ベース板
３  器具本体
１２  側板
１３  突リブ
１４  溝
１５  第１の嵌合穴
２０  ケーシング
２１  カバー
２３  リブ
２５  発光ダイオード
２８  第２の嵌合穴
４０  係合体
４２  押さえ片
４４  傾斜片
４５  Ｌ型片
４６  係合片
４７  把持部
【図１】
2014086233.tif 000003
【図２】
2014086233.tif 000004
【図３】
2014086233.tif 000005
【図４】
2014086233.tif 000006
【図５】
2014086233.tif 000007
【図６】
2014086233.tif 000008
【図７】
2014086233.tif 000009
【図８】
2014086233.tif 000010
【図９】
2014086233.tif 000011
【図１０】
2014086233.tif 000012
【図１１】
2014086233.tif 000013
【図１２】
2014086233.tif 000014
【図１３】
2014086233.tif 000015
【図１４】
2014086233.tif 000016
【図１５】
2014086233.tif 000017
【図１６】
2014086233.tif 000018
【図１７】
2014086233.tif 000019
【図１８】
2014086233.tif 000020
【図１９】
2014086233.tif 000021
【図２０】
2014086233.tif 000022
【図２１】
2014086233.tif 000023
【図２２】
2014086233.tif 000024
【図２３】
2014086233.tif 000025
【図２４】
2014086233.tif 000026
【図２５】
2014086233.tif 000027
【図２６】
2014086233.tif 000028
【図２７】
2014086233.tif 000029
【図２８】
2014086233.tif 000030
【図２９】
2014086233.tif 000031
【図３０】
2014086233.tif 000032
【図３１】
2014086233.tif 000033
【図３２】
2014086233.tif 000034
【図３３】
2014086233.tif 000035
【図３４】
2014086233.tif 000036
【図３５】
2014086233.tif 000037
【図３６】
2014086233.tif 000038
【図３７】
2014086233.tif 000039
【図３８】
2014086233.tif 000040
【図３９】
2014086233.tif 000041
【図４０】
2014086233.tif 000042
【図４１】
2014086233.tif 000043